(57)【要約】【課題】小型化して取付け性を高めると共に製造コストを低減し得る防音装置を得る。【解決手段】防音壁４０の上部に、下端部側で相互に連結されると共に分岐された形の一対の分岐壁１６、１８が、それぞれ傾斜しつつ上方に直線状に延びるように位置している。一対の先端壁２０、２２が、一対の分岐壁１６、１８の上端部から相互に近づく形で傾斜しつつ上方にそれぞれ直線状に延びるように形成される。一対の分岐壁１６、１８に防音壁４０の長手方向に沿って隣り合った位置とされる防音壁４０の上部に、第１側面壁２６が取り付けられ、この第１側面壁２６が防音壁４０の上部から上方に直線状に延びる。第１側面壁２６の音源側に、上方に直線状に延びる第２側面壁２８が配置される。【選択図】図１
2005097945.tif 000002
【特許請求の範囲】
【請求項１】
防音壁の上部に位置し且つ、音源側に傾斜する壁面と反音源側に傾斜する壁面とに分岐されてそれぞれ傾斜しつつ上方に直線状に延びる一対の分岐壁と、
分岐壁よりそれぞれ短く形成され且つ、一対の分岐壁の上端部から相互に近づく形で傾斜しつつ上方にそれぞれ直線状に延びる一対の先端壁と、
一対の分岐壁に防音壁の長手方向で隣り合って配置され且つ、防音壁の上部から上方に直線状に延びる第１側面壁と、
第１側面壁の音源側に配置されて上方に直線状に延びる第２側面壁と、
を有したことを特徴とする防音装置。
【請求項２】
一対の分岐壁と一対の先端壁とで第１空間部を形成する第１ユニットを構成し、
第１側面壁と第２側面壁とで第２空間部を形成する第２ユニットを構成し、
これら第１ユニットと第２ユニットとが交互に配置される形で複数ずつ設けられることを特徴とする請求項１記載の防音装置。
【請求項３】
第１ユニットと第２ユニットを繋ぐように第２側面壁が防音壁の長手方向に沿って延び、
一対の分岐壁と第１側面壁との間に、これらの間を仕切る仕切壁が配置されたことを特徴とする請求項２記載の防音装置。
【請求項４】
一対の先端壁の内の音源側に位置する先端壁が、第１ユニットと第２ユニットを繋ぐように防音壁の長手方向に沿って延び、
この先端壁と平行になる形で反音源側に傾斜しつつ上方に直線状に延びる斜行壁が、第１側面壁の上端部に設置されることを特徴とする請求項２記載の防音装置。
【請求項５】
第１側面壁の上端部が一対の先端壁間に位置するように、第１側面壁が配置されることを特徴とする請求項１記載の防音装置。
【発明の詳細な説明】
【技術分野】
【０００１】
本発明は、小型化して取付け性を高めると共に製造コストを低減し得る防音装置に関し、特に道路、鉄道、工場等から発生する騒音の防止対策として設けられる防音壁の上部を構成する防音装置に好適なものである。
【背景技術】
【０００２】
従来より、道路、鉄道、工場等から発生する騒音の対策として、直接的に騒音が伝播するのを防止する為に防音壁を設置することが、広く行われている。これは各種の騒音防止対策の中で対策費用が比較的安く、しかも種々の騒音発生源に対して効果があるからであり、この防音壁の高さを高くすることにより、騒音の低減効果をより大きくすることが可能となる。
【０００３】
しかし、防音壁の高さを高くすればするほど、施工費等が増してコストアップになるだけでなく、日照、景観、眺望、圧迫感、通風、電波障害、耐風荷重等多くの問題が生じる。そこで、防音壁の高さを高くすることなく騒音の低減効果を増大するために、図７に示す特許文献１の構造のように、防音壁の上部に上方に開口されて騒音を取込む複数の凹部１２２、１２４を有した防音装置１１０が開発された。
【特許文献１】特開２０００−８３３２号公報
【特許文献２】特開２０００−１１０１２０号公報
【発明の開示】
【発明が解決しようとする課題】
【０００４】
しかし、特に図７に示す特許文献１の防音装置の構造では、直線状に形成された壁部１１２の他に、曲面状に形成された壁部１１４を有していることから、防音装置の幅寸法Ｄ１が大きくなるのに伴い、取付け場所に大きな制限が生じると共に、防音装置１１０の取付け作業が困難となって施工の為のコストが増大する欠点を有していた。
【０００５】
さらに、曲面状に形成された壁部１１４の製造は困難であることから、防音装置の製造コストが増大する欠点をも有していた。
本発明は上記事実を考慮し、小型化して取付け性を高めると共に製造コストを低減し得る防音装置を提供することが目的である。
【課題を解決するための手段】
【０００６】
請求項１に係る防音装置は、防音壁の上部に位置し且つ、音源側に傾斜する壁面と反音源側に傾斜する壁面とに分岐されてそれぞれ傾斜しつつ上方に直線状に延びる一対の分岐壁と、
分岐壁よりそれぞれ短く形成され且つ、一対の分岐壁の上端部から相互に近づく形で傾斜しつつ上方にそれぞれ直線状に延びる一対の先端壁と、
一対の分岐壁に防音壁の長手方向で隣り合って配置され且つ、防音壁の上部から上方に直線状に延びる第１側面壁と、
第１側面壁の音源側に配置されて上方に直線状に延びる第２側面壁と、
を有したことを特徴とする。
【０００７】
請求項１に係る防音装置の作用を以下に説明する。
本請求項では、音源側に傾斜する壁面と反音源側に傾斜する壁面とに分岐される一対の分岐壁が、それぞれ傾斜しつつ上方に直線状に延びる構成となっている。さらに、分岐壁よりそれぞれ短く形成される一対の先端壁が、一対の分岐壁の上端部から相互に近づく形で傾斜しつつ上方にそれぞれ直線状に延びている。また、一対の分岐壁に防音壁の長手方向で隣り合って配置される第１側面壁が、防音壁の上部から上方に直線状に延びており、上方に直線状に延びる第２側面壁がこの第１側面壁の音源側に配置されている。
【０００８】
従って、本請求項によれば、一対の分岐壁、一対の先端壁、第１側面壁及び第２側面壁がそれぞれ直線状に形成されて、曲面状に形成された壁部を有しておらず、また、一対の分岐壁及び一対の先端壁と、第１側面壁及び第２側面壁とが、防音壁の長手方向で隣り合って配置される構造になっている。
【０００９】
この為、防音装置の幅寸法が小さくなるのに伴って、防音装置の取付け場所に大きな制限が生じないようになると共に、防音装置の取付け作業が容易となって施工の為のコストが低減される。さらに、曲面状に形成された壁部が無いことから、上記の各壁の製造が容易となって防音装置の製造コストが低減される。
以上より、本請求項によれば、防音装置が小型化されて取付け性が高まると共に防音装置の製造コストが低減されることになる。
【００１０】
請求項２に係る防音装置の作用を以下に説明する。
本請求項では請求項１と同様の構成を有して同様に作用するが、さらに、一対の分岐壁と一対の先端壁とで第１空間部を形成する第１ユニットを構成し、第１側面壁と第２側面壁とで第２空間部を形成する第２ユニットを構成し、これら第１ユニットと第２ユニットとが交互に配置される形で、複数ずつ設けられるという構成を有している。
【００１１】
従って本請求項では、一対の分岐壁と一対の先端壁とから成る第１ユニットと、第１側面壁と第２側面壁とから成る第２ユニットとが、交互に配置されたことから、第１空間部及び第２空間部に騒音がそれぞれ確実に入り込み、これら第１空間部及び第２空間部内で相互に周波数の異なる音のエネルギーがそれぞれ減衰されるので、防音装置の全体の幅寸法を小さくしつつ、必要な防音特性をより得やすくなる。
【００１２】
請求項３に係る防音装置の作用を以下に説明する。
本請求項では請求項２と同様の構成を有して同様に作用するが、さらに、第１ユニットと第２ユニットを繋ぐように第２側面壁が防音壁の長手方向に沿って延び、一対の分岐壁と第１側面壁との間に、これらの間を仕切る仕切壁が配置されたという構成を有している。従って、第２側面壁が第１ユニットと第２ユニットを繋ぐ形で延びると共に、一対の分岐壁と第１側面壁との間を仕切る仕切壁が配置されているので、これら第２側面壁及び仕切壁の存在によって、防音装置の強度を高めることができる。
【００１３】
請求項４に係る防音装置の作用を以下に説明する。
本請求項では請求項２と同様の構成を有して同様に作用するが、さらに、一対の先端壁の内の音源側に位置する先端壁が、第１ユニットと第２ユニットを繋ぐように防音壁の長手方向に沿って延び、この先端壁と平行になる形で反音源側に傾斜しつつ上方に直線状に延びる斜行壁が、第１側面壁の上端部に設置されるという構成を有している。
【００１４】
従って本請求項では、第１、第２ユニットを繋ぐように防音壁の長手方向に沿って先端壁が延びて第２側面壁の上部にもこの先端壁が配置されることになり、また、この先端壁と平行になるように反音源側に傾斜しつつ上方に直線状に延びる斜行壁を第１側面壁の上端部に設置したことで、先端壁と斜行壁との間に平行な空間ができるようになる。この結果として、第１側面壁と第２側面壁との間の平行な空間が上方に延ばされる形となって、必要な防音特性をより得やすくなる。
【００１５】
請求項５に係る防音装置の作用を以下に説明する。
本請求項では請求項１と同様の構成を有して同様に作用するが、さらに、第１側面壁の上端部が一対の先端壁間に位置するように、第１側面壁が配置されるという構成を有している。
【００１６】
従って、一対の先端壁間に第１側面壁の上端部が位置したことで、この第１側面壁が適切な位置に配置されることになり、これに伴い、第１空間部及び第２空間部によって相互に周波数の異なる音のエネルギーをそれぞれ確実に減衰できるようになるので、必要な防音特性をより得やすくなる。
【発明の効果】
【００１７】
以上説明したように本発明の上記構成によれば、小型化して取付け性を高めると共に製造コストを低減し得る防音装置を提供できるという優れた効果を有し、道路、鉄道、工場等から発生する騒音の防止対策として設けられる防音壁の上部を構成する防音装置で特に優れた効果を発揮する。
【発明を実施するための最良の形態】
【００１８】
本発明の最良の形態に係る防音装置を図を参照しつつ説明する。
まず、本発明の最良の形態に係る防音装置の一実施例を図１から図４に基づき説明する。図１及び図２に示すように、道路又は線路に沿って設けられた防音壁４０が、道路、鉄道、工場等により騒音が発生する音源側（図１の右側）とこれらの騒音が発生しない反音源側（図１の左側）との間を仕切っている。
【００１９】
この防音壁４０の上部には、図１に示すように、下端部側で相互に連結されると共に例えば９０°角度で分岐された形の一対の分岐壁１６、１８が、それぞれ傾斜しつつ上方に直線状に延びるように、位置している。この内の音源側に例えば４５°角度で傾斜する壁面が第１分岐壁１６とされ、反音源側に例えば４５°角度で傾斜する壁面が第２分岐壁１８とされている。
【００２０】
さらに、第１分岐壁１６の上端部から、この第１分岐壁１６より短く形成された第１先端壁２０が、反音源側に例えば４５°角度で傾斜するように延びている。また、第２分岐壁１８の上端部から、この第２分岐壁１８より短く形成された第２先端壁２２が、音源側に例えば４５°角度で傾斜するように延びている。つまり、これら一対の先端壁２０、２２が、一対の分岐壁１６、１８の上端部から相互に近づく形で傾斜しつつ上方にそれぞれ直線状に延びるように形成されている。
【００２１】
以上より、図１に示すこれら一対の分岐壁１６、１８及び一対の先端壁２０、２２により第１ユニット３６が構成され、この第１ユニット３６により区画され且つ、上部が開放された凹部となる五角形断面の空間が、本実施例の防音装置１０の第１空間部３２とされている。
【００２２】
一方、図２及び図３に示すように、一対の分岐壁１６、１８に防音壁４０の長手方向Ｘに沿って隣り合った位置とされる防音壁４０の上部の部分には、ねじ止め等されて防音壁４０に固定された連結部材１２を介して第１側面壁２６が取り付けられている。そして、この第１側面壁２６が、防音壁４０の上部から垂直方向となる上方に直線状に延びて、この第１側面壁２６の上端部が一対の先端壁２０、２２間に位置している。
【００２３】
さらに、この第１側面壁２６の下端部は、音源側と反音源側との間で水平方向に延びるように配置された底壁２４と接続されており、この底壁２４の音源側の端部には、垂直方向となる上方に直線状に延びる第２側面壁２８の下端部が取り付けられている。従って、本実施例では、第１側面壁２６の音源側にこの第２側面壁２８が配置された形とされている。
【００２４】
そして、これら第１側面壁２６及び第２側面壁２８により第２ユニット３８が構成され、この第２ユニット３８だけでなく底面となる底壁２４によって区画され且つ、上部が開放された凹部となる空間が、本実施例の防音装置１０の第２空間部３４とされている。
【００２５】
但し、本実施例では、図３に示すように、防音装置１０の両端部に仕切壁３０が配置されるだけでなく、第１ユニット３６を構成する一対の分岐壁１６、１８と、第２ユニット３８を構成する第１側面壁２６との間に、これらを仕切る為の仕切壁３０が例えばそれぞれ等間隔に複数配置されていて、これら第１ユニット３６と第２ユニット３８とが交互に配置された形になっている。この為、本実施例の防音装置１０では、これら第１、第２ユニット３６、３８が複数ずつ設けられていることになる。尚、各壁には、仕切壁３０と連結する為の折曲部２９が適宜設けられている。
【００２６】
さらに、一対の先端壁２０、２２の内の音源側に位置する第１先端壁２０及び、第２側面壁２８は、第１ユニット３６と第２ユニット３８を繋ぐように、それぞれ防音壁４０の長手方向Ｘに沿って延びており、また、第１側面壁２６の上端部には、第１先端壁２０と平行になるように反音源側に傾斜しつつ上方に直線状に延びる斜行壁２７が、設置されている。
【００２７】
以上より、本実施例では、道路又は線路から発生する騒音が開口された第１空間部３２及び第２空間部３４に入り込み、これら第１空間部３２及び第２空間部３４内で相互に周波数の異なる音のエネルギーがそれぞれ減衰されることになる。尚、この防音装置１０は、図４に示すように道路又は線路に沿って防音壁４０と並列してこの防音壁４０上に例えば連続的に複数設けられるように、配置される。
【００２８】
次に、本実施例に係る防音装置１０の作用を以下に説明する。
本実施例では、音源側に傾斜する壁面と反音源側に傾斜する壁面とに分岐される一対の分岐壁１６、１８が、それぞれ傾斜しつつ上方に直線状に延びており、一対の分岐壁１６、１８よりそれぞれ短く形成される一対の先端壁２０、２２が、これら一対の分岐壁１６、１８の上端部から相互に近づく形で傾斜しつつ上方にそれぞれ直線状に延びている。
【００２９】
また、一対の分岐壁１６、１８と防音壁４０の長手方向Ｘで隣り合って配置される第１側面壁２６が、防音壁４０の上部から上方に直線状に延びてその上端部が一対の先端壁２０、２２間に位置しており、この第１側面壁２６の音源側に、上方に直線状に延びる第２側面壁２８が配置されている。
【００３０】
そして、本実施例では、図１に示すように一対の分岐壁１６、１８と一対の先端壁２０、２２とで第１空間部３２を形成する第１ユニット３６が構成され、図２に示すように第１側面壁２６と第２側面壁２８とで第２空間部３４を形成する第２ユニット３８が構成されていて、これら第１ユニット３６と第２ユニット３８とが交互に配置されるように、第１、第２ユニット３６、３８が複数ずつ設けられている。
【００３１】
従って、本実施例によれば、一対の分岐壁１６、１８、一対の先端壁２０、２２、第１側面壁２６及び第２側面壁２８がそれぞれ直線状に形成されて、曲面状に形成された壁部を有しておらず、また、一対の分岐壁１６、１８及び一対の先端壁２０、２２と、第１側面壁２６及び第２側面壁２８とが、防音壁４０の長手方向Ｘで隣り合って配置される構造になっている。
【００３２】
この為、防音装置１０の幅寸法が小さくなるのに伴って、防音装置１０の取付け場所に大きな制限が生じないようになると共に、防音装置１０の取付け作業が容易となって施工の為のコストが低減される。さらに、曲面状に形成された壁部が無いことから、上記の各壁の製造が容易となって防音装置１０の製造コストが低減される。
以上より、本実施例によれば、防音装置１０が小型化されて取付け性が高まると共に防音装置１０の製造コストが低減されることになる。
【００３３】
一方、本実施例では、一対の分岐壁１６、１８と一対の先端壁２０、２２とから成る第１ユニット３６と、第１側面壁２６と第２側面壁２８とから成る第２ユニット３８とが、交互に配置されている。この為、第１空間部３２及び第２空間部３４に騒音がそれぞれ確実に入り込み、これら第１空間部３２及び第２空間部３４内で相互に周波数の異なる音のエネルギーがそれぞれ減衰されるので、幅広い側のユニットである第１ユニット３６の幅寸法となる防音装置１０の全体の図１に示す幅寸法Ｄ１を小さくしつつ、必要な防音特性をより得やすくなる。尚、この幅寸法Ｄ１を例えば２５０ｍｍ〜３５０ｍｍの範囲の大きさとすることが、本実施例では考えられる。
【００３４】
さらに、本実施例では、第２側面壁２８及び、この第２側面壁２８の上部に配置された第１先端壁２０が、複数の第１ユニット３６と第２ユニット３８を連続的に繋ぐように防音壁４０の長手方向Ｘに沿ってそれぞれ延びている。また、一対の分岐壁１６、１８と第１側面壁２６との間に、これらの間を仕切る仕切壁３０が配置されており、この第１先端壁２０と平行になるように反音源側に傾斜しつつ上方に直線状に延びる斜行壁２７が、第１側面壁２６の上端部に設置されている。
【００３５】
従って、本実施例では、第１ユニット３６と第２ユニット３８を繋ぐ形で第２側面壁２８及び第１先端壁２０が延びるように配置されると共に、一対の分岐壁１６、１８と第１側面壁２６との間を仕切る仕切壁３０が配置されているので、これら第２側面壁２８、第１先端壁２０及び仕切壁３０の存在によって、防音装置１０の強度を高めることができる。
【００３６】
さらに、第１先端壁２０と平行になるように反音源側に傾斜しつつ上方に直線状に延びる斜行壁２７を第１側面壁２６の上端部に設置したことで、第１先端壁２０と斜行壁２７との間に平行な空間ができるようになる。この結果として、第１側面壁２６と第２側面壁２８との間の平行な空間が上方に延ばされる形となって、必要な防音特性をより得やすくなる。
【００３７】
他方、本実施例では、一対の先端壁２０、２２間に第１側面壁２６の上端部を位置させるように第１側面壁２６を配置したことで、この第１側面壁２６が適切な位置に配置されることになり、これに伴い、第１空間部３２及び第２空間部３４によって相互に周波数の異なる音のエネルギーをそれぞれ確実に減衰できるようになるので、必要な防音特性をより得やすくなる。
【００３８】
次に、従来例と実施例とについて防音特性の比較をした試験結果を説明する。
図５に示すように音を発生させる音源４２とマイク等の評価点４４を床面上に配置したような条件で、それぞれの防音特性に関する試験を行った。そして、従来例の防音装置と本実施例の防音装置と各周波数における音圧レベル（以下、ＳＰＬという）のデータを評価点４４でとり、図６のグラフに示した。
【００３９】
このグラフより本実施例の防音装置は、従来例の防音装置と同等の防音特性が得られることが理解できる。この結果として、小型化されて取付け性が高まると共に製造コストが低減される本実施例によっても、従来例の防音装置と同等の防音特性が得られることが確認されたことになる。
【００４０】
尚、図５に示す防音装置の長さＬは６０００ｍｍであり、防音装置の高さＨ３は１３８５ｍｍであり、防音装置と音源４２との間の距離Ａ及び、防音装置と評価点４４との間の距離Ｂはそれぞれ２５００ｍｍであった。
【００４１】
さらに、上記実施例に係る防音装置１０の各壁は、金属製の板材により形成することができるが、防音装置を軽量化できると共に、防錆並びに耐蝕性に優れたものとなり、施工も容易となることから、特に押し出し成形のアルミニウム材料で形成しても良い。但し、合成樹脂等の他の材料で各壁を形成しても良い。
【図面の簡単な説明】
【００４２】
【図１】本発明に係る一実施例の防音装置を示す断面図であって、図３の１−１矢視線断面図である。
【図２】本発明に係る一実施例の防音装置を示す断面図であって、図３の２−２矢視線断面図である。
【図３】本発明に係る一実施例の防音装置を示す斜視図である。
【図４】本発明に係る一実施例の防音装置を防音壁上に複数並べた状態を示す図であって、（Ａ）は平面図であり、（Ｂ）は正面図である。
【図５】防音特性を比較するための試験条件を示す図であって、（Ａ）は平面図であり、（Ｂ）は側面図である。
【図６】従来例の防音装置及び一実施例の防音装置の防音特性を表すグラフを示す図である。
【図７】従来例の防音装置を示す斜視図である。
【符号の説明】
【００４３】
１０        防音装置
１６、１８  分岐壁
２０、２２  先端壁
２６        第１側面壁
２７        斜行壁
２８        第２側面壁
３０        仕切壁
３２        第１空間部
３４        第２空間部
３６        第１ユニット
３８        第２ユニット
４０        防音壁
【図１】
2005097945.tif 000003
【図２】
2005097945.tif 000004
【図３】
2005097945.tif 000005
【図４】
2005097945.tif 000006
【図５】
2005097945.tif 000007
【図６】
2005097945.tif 000008
【図７】
2005097945.tif 000009